(57)【要約】【課題】履き物としての簡便さ、利便性を保ちつつも、歩行に際しての機能性や安定感との両立を可能ならしめる、歩行時に足の動きに追従できる履き物を提供する。【解決手段】ソール１１のうち、つま先の部分に対応する第１の部分１２と、それ以外の踵に至る部分に対応する第２の部分１３とが、足裏のＶ字屈曲形状に沿う形状にて、弾性を保持した状態で屈曲されてなり、第１の部分１２につま先を保持するストラップ１４が設けられてなる履き物。【選択図】図１
2014018559.tif 000002
【特許請求の範囲】
【請求項１】
ソールのうち、つま先の部分に対応する第１の部分と、それ以外の踵に至る部分に対応する第２の部分とが、足裏のＶ字屈曲形状に沿う形状にて、弾性を保持した状態で屈曲されてなり、前記第１の部分につま先を保持する保持部が設けられてなる履き物。
【請求項２】
前記ソールの前記第１の部分と前記第２の部分との境界は、足裏面の拇趾球と対応する拇趾球位置と小趾球と対応する小趾球位置とをつなぐ領域に含まれる請求項１に記載の履き物。
【請求項３】
前記第１の部分と前記第２の部分との屈曲角度が、１００°以上１３５°以下の範囲に設定されてなる請求項１又は２に記載の履き物。
【請求項４】
前記ソールの前記第１の部分と前記第２の部分との境界には、１乃至複数の楔状の弾性体が埋め込まれて前記屈曲する形状が形成されてなる請求項１〜３のいずれか１項に記載の履き物。
【請求項５】
前記ソールは弾性体からなり、
前記ソールの屈曲する形状は、成形型を用いて成形される請求項１〜４のいずれか１項に記載の履き物。
【請求項６】
前記第１の部分のうち前記第２の部分との接合部は、足裏面の拇趾球と対応する拇趾球位置側から小趾球と対応する小趾球位置側へ斜めに延びる請求項１〜５のいずれか１項に記載の履き物。
【請求項７】
前記ソールの前記第２の部分の後端には、ヒール部が設けられてなる請求項１〜６のいずれか１項に記載の履き物。
【発明の詳細な説明】
【技術分野】
【０００１】
この発明は、サンダル、スリッパ等といった履き物に関する。
【背景技術】
【０００２】
例えばビーチサンダルや、スリッパ等といった、踵を全体的に覆って支持する踵保持部が無い履き物は、脱ぎ履きが容易である等といった利点を有するものの、踵保持部がないために足から脱落しやすく、歩行時にペタペタと音がする等の欠点を併せ有している。
【０００３】
この問題を解決するために、従来は例えば特許文献１のように、比較的簡単に踵に引っ掛けることができるストラップ状の保持部を設けることが一般的であった。
【先行技術文献】
【特許文献】
【０００４】
【特許文献１】特開２００９−０７７７６８号公報
【発明の概要】
【発明が解決しようとする課題】
【０００５】
ところで、ストラップ等の保持部を履き物に設けることは、確かに履き物としての機能性や安定感は増すものの、逆にサンダルやスリッパ等ならではの簡便さ、いわゆる突っ掛け草履のような利便性が失われる。
【０００６】
本発明は、上記問題点に鑑みてなされたものであり、その目的は、履き物としての簡便さ、利便性を保ちつつも、歩行に際しての機能性や安定感との両立を可能ならしめる、歩行時に足の動きに追従できる履き物を提供することにある。
【課題を解決するための手段】
【０００７】
上記問題点を解決するために、請求項１に記載の発明は、ソールのうち、つま先の部分に対応する第１の部分と、それ以外の踵に至る部分に対応する第２の部分とが、足裏のＶ字屈曲形状に沿う形状にて、弾性を保持した状態で屈曲されてなり、前記第１の部分につま先を保持する保持部が設けられてなることを要旨とする。
【０００８】
請求項１に記載の発明によれば、履き物のソールの第１の部分と第２の部分とが足裏のＶ字屈曲形状に沿う形状にて弾性を保持した状態で屈曲されているので、歩行に際して足を後方に蹴り出すときには、第２の部分はそのときの足裏のＶ字屈曲形状に沿って、第１の部分に対して屈曲する。また、足を踏み込んだときには、第１の部分と第２の部分とが平坦な状態となる。従って、履き物としての簡便さ、利便性と、歩行に際しての機能性や安定感とを両立させることができる。
【０００９】
請求項２に記載の発明は、請求項１に記載の履き物において、前記ソールの前記第１の部分と前記第２の部分との境界は、足裏面の拇趾球と対応する拇趾球位置と小趾球と対応する小趾球位置とをつなぐ領域に含まれることを要旨とする。
【００１０】
請求項２に記載の発明によれば、第１の部分と第２の部分との境界が上記領域に含まれるので、足裏面のうち拇趾球及び小趾球から踵に至る部分を浮かせるとき、第２の部分が、拇趾球及び小趾球から踵に至る部分に追従することができる。このため、歩行に際しての機能性や安定感を高めることができる。
【００１１】
請求項３に記載の発明は、請求項１又は２に記載の履き物において、前記第１の部分と前記第２の部分との屈曲角度が、１００°以上１３５°以下の範囲に設定されてなることを要旨とする。
【００１２】
請求項３に記載の発明によれば、第１の部分に対して第２の部分の屈曲角度が１００°以上１３５°以下の範囲であるため、第２の部分が、歩行に際して足を蹴り出す動作に追従して、足裏面のうち路面に対して浮いた部分に密着することができる。
【００１３】
請求項４に記載の発明は、請求項１〜３のいずれか１項に記載の履き物において、前記ソールの前記第１の部分と前記第２の部分との境界には、１乃至複数の楔状の弾性体が埋め込まれて前記屈曲する形状が形成されてなることを要旨とする。
【００１４】
請求項４に記載の発明によれば、ソールに埋め込まれた楔状の弾性体により屈曲する形状が形成されるため、弾性体の個数、角度、材質等を変更することにより、最適な屈曲角度や屈曲形状に調整することができる。
【００１５】
請求項５に記載の発明は、請求項１〜４のいずれか１項に記載の履き物において、前記ソールは弾性体からなり、前記ソールの屈曲する形状は、成形型を用いて成形されることを要旨とする。
【００１６】
請求項５に記載の発明によれば、弾性体からなるソールは、金型等の成形型を用いて屈曲する形状に成形されるので、ソールを屈曲する形状にするための部材を設ける工程等が不要となり、外観もシンプルにすることができる。
【００１７】
請求項６に記載の発明は、請求項１〜５のいずれか１項に記載の履き物において、前記第１の部分のうち前記第２の部分との接合部は、足裏面の拇趾球と対応する拇趾球位置側から小趾球と対応する小趾球位置側へ斜めに延びることを要旨とする。
【００１８】
請求項６に記載の発明によれば、足裏のＶ字屈曲形状は、拇趾球及び小趾球を起点として踵を浮かせることにより形成されるので、ソールを足裏のＶ字屈曲形状にさらに沿うようにすることができる。
【００１９】
請求項７に記載の発明は、請求項１〜６のいずれか１項に記載の履き物において、前記ソールの前記第２の部分の後端には、ヒール部が設けられてなることを要旨とする。
請求項７に記載の発明によれば、ヒール部を備えた履き物であっても、第２の部分は、足裏のＶ字屈曲形状に沿って屈曲するので、履き物としての簡便さ、利便性と、歩行に際しての機能性や安定感とを両立させることができる。
【図面の簡単な説明】
【００２０】
【図１】本発明の履き物をサンダルに具体化した一実施形態であって、その斜視図を示す。
【図２】同サンダルの平面図。
【図３】同サンダルを裏面側からみた分解斜視図。
【図４】同サンダルの側面図であって、（ａ）は先端部が路面に接した状態、（ｂ）はサンダルを履くときの状態を示す。
【図５】同サンダルの使用時の側面図であって、（ａ）はサンダル全体に荷重をかけた状態、（ｂ）は足を後方に蹴り出した状態、（ｃ）は足を踏み込んだ状態を示す。
【図６】本発明の履き物をサンダルに具体化した変形例であって、（ａ）はその斜視図、（ｂ）は平面図を示す。
【図７】本発明の履き物をサンダルに具体化した変形例であって、（ａ）及び（ｂ）はサンダルの斜視図、（ｃ）はスリッパの斜視図。
【図８】本発明の履き物を具体化したサンダルであって、（ａ）は後部が初期位置に付勢された状態の斜視図、（ｂ）はその側面図。
【発明を実施するための形態】
【００２１】
以下、本発明の履き物を具体化した一実施形態を、図１〜図６にしたがって説明する。本実施形態では、履き物を、ヒール部がなく、つま先を保持する保持部のみがソールに設けられている、いわゆるビーチサンダルに具体化している。
【００２２】
図１に示すように、本実施形態のサンダル１０は、発泡樹脂、又はゴム等の弾性体からなるソール１１と、つま先を保持する保持部としてのストラップ１４とを備えている。
ソール１１は、使用者がサンダル１０を履いたときに、つま先の部分に対応する第１の部分１２と、第１の部分１２に連続して形成された第２の部分１３とを備えている。第１の部分１２及び第２の部分１３は、歩行時の足裏のＶ字屈曲形状に沿う形状にて、弾性を保持した状態で屈曲されてなる。即ち、第２の部分１３が、第１の部分１２に対して斜め上方向に屈曲し、第１の部分１２が路面等に接した状態で、路面に対して浮く初期位置に付勢されている。
【００２３】
図２に示すように、第２の部分１３の始端、即ち第１の部分１２と第２の部分１３との境界は、使用者がサンダル１０を履いたときの足５０の拇趾球に対応する拇趾球位置５０Ａと小趾球に対応する小趾球位置５０Ｂとをつなぐ領域５０Ｃに含まれる。ソール１１の全長を基準にすると、第１の部分１２と第２の部分１３との境界は、ソール１１の全長に対しつま先側から１／３の長さ位置Ｌ１付近に位置する。例えば、その長さ位置Ｌ１の３０ｍｍ前後の領域に含まれると好ましい。尚、履き物の形状にもよるが、一般的に、拇趾球位置５０Ａは、ソール１１の平面視において、つま先に対応するつま先部から踵に対応する踵部にかけて最も外側張り出した部分か、踵部にかけて湾曲し始める部分に位置する。
【００２４】
図３に示すように、第１の部分１２の裏面であってその終端部には、ソール１１の幅方向に沿って３本の溝１１ａが形成されている。溝１１ａは、断面Ｖ字状に形成され、この溝１１ａには、楔状の弾性体１５が埋め込まれる。この弾性体１５は、ＥＶＡ樹脂等の弾性を有する材料からなる。溝１１ａに埋め込まれる弾性体１５は三角柱状をなし、その先端の角度は、溝１１ａに圧入可能な角度であって、溝１１ａがなす角度よりも大きい。溝１１ａに圧入された弾性体１５の弾性力により、溝１１ａが拡開され、第２の部分１３が第１の部分１２に対して斜め上方に屈曲する。また、ソール１１に対し、３つの弾性体１５を設けることにより、第１の部分１２と第２の部分１３との接合部を、滑らかに湾曲させることができる。
【００２５】
図４（ａ）に示すように、第１の部分１２と第２の部分１３との屈曲角度θ１は、１００°以上１３５°以下が好ましく、１２０°以上１３５°以下がより好ましい。特に、屈曲角度θ１を１２０°以上にすると、サンダル１０の履きやすさが高められる。また、ソール１１に外力が加えられないとき、第１の部分１２が路面等に接した状態では、第２の部分１３は、路面に対して角度θ２をなし、角度θ２は、４５°以上６０°以下である。以下、第１の部分１２に対して屈曲角度θ１をなすときの第２の部分１３の位置を初期位置という。
【００２６】
ソール１１の後方半分以上が第１の部分１２に対して上記角度範囲で斜め上方に屈曲すると、第１の部分１２よりも第２の部分１３が重くなり、サンダル１０の重心は第２の部分１３側に位置する。このため、図４（ｂ）に示すように、未使用時には、第１の部分１２を浮かせて第２の部分１３を床等に接した姿勢にすると履きやすい。このとき屈曲角度θ１が１２０°以上であると、サンダル１０が履きやすい。
【００２７】
図１に示すように、ソール１１の第１の部分１２には、ストラップ１４が固定されている。ストラップ１４の形状は特に限定されないが、本実施形態では、帯状に形成され、その始端部及び終端部がソール１１の側面に固定されている。図２に示すように、ストラップ１４は、平面視において、上述した領域５０Ｃに重なるように設けられている。このストラップ１４が、例えば一般的なビーチサンダルのようにＶ字状に形成され、その中央部が第１の部分１２に、両端部が第２の部分１３に固定されていると、第２の部分１３が初期位置に戻ろうとするとき、第１の部分１２と第２の部分１３との間でストラップ１４が第２の部分１３を押し返す。このため、従来のストラップだと、第２の部分１３が初期位置に戻りにくくなる。一方、本実施形態のようにストラップ１４が第１の部分１２のみに固定されていると、ストラップ１４は、第２の部分１３が初期位置に戻ろうとする動きを妨げない。
【００２８】
次に本実施形態のサンダル１０の作用について説明する。
図４（ｂ）に示すように、第２の部分１３が床等に接したサンダル１０を履くときは、例えば第２の部分１３側からソール１１表面につま先を滑り込ませ、つま先をストラップ１４に挿入する。つま先の挿入に伴い、第１の部分１２は路面側へ倒される。このとき、第１の部分１２は床等に対して６０°以下の角度をなすため、つま先の荷重だけで第１の部分１２を無理せずに倒すことができる。また、サンダル１０には、踵保持部が無いため、踵に引っ掛けるストラップが設けられたサンダル等に比べても履きやすく、履き物としての簡便さ、利便性を備えることができる。
【００２９】
ところで、歩行時の足の動きとしては、履き物の踵を路面につけて路面を踏み込む動作と、路面に接した方の足を後方へ蹴り出す動作と、履き物裏面を路面から離して足を前方へ運ぶ動作とがある。
【００３０】
図５（ａ）に示すように、一方の足を軸にするとき等には、ソール１１全体に体重が加えられる。その際、第２の部分１３は、弾性体１５の付勢力に抗して路面に接し、弾性体１５は溝１１ａの内側で圧縮される。このとき、第１の部分１２及び第２の部分１３の接合部が湾曲しているので、第１の部分１２の表面と第２の部分１３の表面とは、連続した略平面となる。
【００３１】
一方、本実施形態のように第１の部分１２と第２の部分との接合部が湾曲するのではなく、側面視において接合部が折れ曲がるように形成されていると、路面を踏み込むとき、第１の部分１２と第２の部分１３との境界付近が略Ｖ字状に窪んでしまう。その結果、使用者が路面を踏み込むときに足裏面に違和感又は不快感をおぼえる。本実施形態では、足を踏み込んだ際に、第１の部分１２の表面及び第２の部分１３の表面が連続する略平面となるので、足裏面に違和感をおぼえることもなく不快感をおぼえることもない。
【００３２】
路面を踏み込んだ足を軸として他方の足を前方に運んだ後、軸足を後方に蹴り出すとき、図５（ｂ）に示すように、足５０は、拇趾球及び小趾球を起点に踵を浮かせた状態となり、脚裏はＶ字屈曲形状になる。このときの路面に対する踵の傾斜角度α１は、一般的に４５°程度である。即ち拇趾球がなす角度α２は、およそ１３５°である。上述したように、第２の部分１３は、屈曲角度θ１が１３５°以下、即ち足裏のＶ字屈曲形状の角度を上回る角度位置に付勢されているため、踵が浮くと、第２の部分１３はその踵の動きに追従して浮き上がる。また、第２の部分１３は領域５０Ｃを起点として浮き上がるので、足裏のＶ字屈曲形状に沿って密着する。即ち、例えばソールのうち踵に対応する後端部だけ浮き上がるようにすると、その後端部と踵とが当接したとしても、足裏のＶ字屈曲形状に沿って密着することはできず、足裏面との間に大きな隙間が生じる。
【００３３】
一方、本実施形態のように第２の部分１３が歩行時の足裏のＶ字屈曲形状に沿って密着できるようにすると、足裏面との間に大きな隙間が生じないため、サンダル１０が脱げ落ちにくく、砂地等を歩いても足裏面とソール１１との隙間に砂が入りにくい。また、足裏面全体を路面から浮かせて足を前方に運ぶとき、ソール１１が無加重状態となっても第２の部分１３が足裏に密着するので、サンダル１０が脱げ落ちにくく、ソール１１自体のバネ効果によって歩行時の前方への重心移動が促されるといった効果が得られる。
【００３４】
また、従来のビーチサンダルを履いて歩行すると、足を後方に蹴り出して踵が浮くと、ソール１１のうち踵に対応する後端部が上方に反るものの、踵とソールとが一旦離間する。その後、上方に反ったソールの後端部が踵に当たる。その結果、歩行時に、ビーチサンダルや突っかけ草履に固有のペタペタといった音がするようになる。本実施形態のサンダル１０では、踵保持部がなくても、常に足裏面に第２の部分１３が当接するので、歩行時にペタペタと音がすることをも抑制することができる。
【００３５】
さらに、路面を踏み込むときには、踵から着地し、つま先は浮いた状態になる。このとき、図５（ｃ）に示すように、ソール１１の踵に対応する後端部に荷重が加わり、第１の部分１２は路面から浮いた状態になる。このため、つま先を引き上げることによる転倒予防の効果も得られる。
【００３６】
上記実施形態によれば、以下のような効果を得ることができる。
（１）上記実施形態では、ソール１１は、使用者のつま先の部分に対応する第１の部分１２と、それ以外の踵に至る部分に対応する第２の部分１３とを備える。また、第１の部分１２及び第２の部分１３は、歩行時の足裏のＶ字屈曲形状に沿う形状で、弾性を保持した状態で屈曲している。また、第１の部分１２には、使用者のつま先を保持するストラップ１４が設けられている。このため、歩行に際して足を後方に蹴り出すときには、第２の部分１３は、そのときの足裏のＶ字屈曲形状に沿って、第１の部分１２に対して屈曲する。また、足を踏み込んだときには、第１の部分１２と第２の部分１３とが路面に接した平坦な状態となる。従って、履き物としての簡便さ、利便性と、歩行に際しての機能性や安定感とを両立させることができる。また、足を踏み込むときのつま先の引き上げによる転倒予防、歩行時の前方への重心移動補助を行うことができる。
【００３７】
（２）上記実施形態では、ソール１１の第１の部分１２と第２の部分１３との境界は、足裏面の拇趾球と対応する拇趾球位置５０Ａと小趾球と対応する小趾球位置５０Ｂとをつなぐ領域５０Ｃに含まれる。このため、足裏面のうち拇趾球及び小趾球から踵に至る部分を浮かせるとき、第２の部分１３が、拇趾球及び小趾球から踵に至る部分に追従することができる。このため、歩行に際しての機能性や安定感を高めることができる。
【００３８】
（３）上記実施形態では、第１の部分１２と第２の部分１３との屈曲角度が、１００°以上１３５°以下、より好ましくは１２０°以上１３５°以下の範囲に設定されている。歩行時の足裏のＶ字屈曲形状は、路面に対して４５°程度であるため、第２の部分１３が、歩行に際して足を蹴り出す動作に追従して、足裏面のうち浮いた部分に密着することができる。
【００３９】
（４）上記実施形態では、ソール１１の第１の部分１２と第２の部分１３との境界に、３つの楔状の弾性体１５が埋め込まれることにより、ソール１１の屈曲する形状が形成されている。弾性体１５の個数を３つにすることにより、第１の部分１２と第２の部分１３との接合部を湾曲した形状にすることができるため、足を踏み込んだときに、第１の部分１２の表面と第２の部分１３の表面とを連続した略平面とすることができる。
【００４０】
尚、上記実施形態は以下のように変更してもよい。
・上記実施形態では、第１の部分１２と第２の部分１３との境目（折れ目）は、つま先から踵に向かう縦方向に対し直交する方向に延びるようにしたが、縦方向に対し斜めとなるようにしてもよい。例えば、足を蹴り出すとき、拇趾球及び小趾球を起点として踵が浮き、小趾球は拇趾球よりも踵側に位置している。このため、図６（ａ）に示すように、第１の部分１２Ｅと第２の部分１３Ｅとの境目が、小趾球側に向かって傾斜するようにしてもよい。さらに図６（ｂ）に示すように、その第１の部分１２Ｅと第２の部分１３Ｅとの境目Ｌ２が、拇趾球位置５０Ａと小趾球位置５０Ｂの中心付近を通る、又はそれらの中心を通る直線と平行となるようにしてもよい。このようにすると、ソール１１を、足裏のＶ字屈曲形状にさらに沿うようにすることができる。
【００４１】
・上記実施形態では、溝１１ａに弾性体１５を圧入することで第２の部分１３を斜め上方へ屈曲させるようにしたが、図７（ａ）に示すように、ソール１１Ａ全体を、成形型を用いて、第２の部分１３Ａが第１の部分１２Ａに対して屈曲する形状に成形してもよい。このようにすると、ソール１１を屈曲する形状にするための部材を設ける工程等が不要となり、外観もシンプルにすることができる。
【００４２】
・上記実施形態では、つま先を保持する保持部を、１本の帯状のストラップ１４としたが、保持部の形状は特に限定されない。例えば、図７（ａ）に示すように、鼻緒１４Ａにしてもよい。また、図７（ｂ）に示すように、複数のストラップ１４Ｂを設けてもよく、それらのストラップ１４Ｂを交差してもよい。また、保持部は紐状でなくてもよく、例えば、第１趾（親指）と第２趾（人差し指）との間に挟持する軸と、軸部に設けられた円板状等の形状を有する頭部とからなる保持部から構成してもよい。
【００４３】
・上記実施形態では、ソール１１に楔状の弾性体１５を埋め込むことにより、第２の部分１３を屈曲させたが、ソール１１を複数の要素に分割することで第２の部分１３を屈曲させてもよい。例えば図７（ｂ）に示すように、第２の部分１３Ｂを、第１の部分１２Ｂに接合される湾曲部１３Ｇと、湾曲部１３Ｇよりも後ろに接合される平坦部１３Ｆとから構成してもよい。湾曲部１３Ｇは、湾曲した形状に予め形成され、側面視において扇形をなす。平坦部１３Ｆは、平板状に形成されている。湾曲部１３Ｇは、第１の部分１２Ｂ及び平坦部１３Ｆと異なる材料から形成されてもよい。これらの第１の部分１２Ｂ、湾曲部１３Ｇ及び平坦部１３Ｆは、接着剤等により互いに固定される。
【００４４】
・上記実施形態では、弾性体１５は３つにしたが、１つでも屈曲形状にすることができる。また、弾性体１５をソール１１に２つ、又は４つ以上埋め込んでもよい。
・上記実施形態では、本発明の履き物をいわゆるビーチサンダルに具体化したが、他の履き物に具体化してもよい。例えば、図７（ｃ）に示すように、スリッパ１０Ｃに具体化してもよい。スリッパ１０Ｃは、足裏面に接触するソール１１Ｃを備え、第１の部分１２Ｃと、第１の部分１２Ｃに対して屈曲した第２の部分１３Ｃとを備える。第１の部分１２Ｃには、つま先を覆うアッパー１６が設けられている。このスリッパ１０Ｃを履いて歩行するとき、第２の部分１３Ｃが足裏面に密着するので、脱げにくく、歩行時の第２の部分１３Ｃの跳ね返りによるパタパタといった音を抑制できる。
【００４５】
・上記実施形態では、本発明の履き物をいわゆるビーチサンダルに具体化したが、図８（ａ）に示すように、ソール１１Ｄの後端にヒール部１７を備えるサンダル１０Ｄ（ミュールとも言う）に具体化してもよい。ソール１１Ｄは、インソール１９Ａ及びアウトソール１９Ｂを有し、これらは、第１の部分１２Ｄより後方の第２の部分１３Ｄが上方に屈曲している。第１の部分１２Ｄには、つま先を覆うアッパー１８が設けられている。図８（ｂ）中実線で示すように、ソール１１Ｄは、外力が加えられていない状態でヒール部１７が浮き、歩行時の足裏のＶ字屈曲形状に沿う形状にて弾性を保持した状態で屈曲されている。そして、足が踏み込まれたときには、図８（ｂ）中２点鎖線で示すように、ヒール部１７が路面に接した状態となる。第１の部分１２Ｄと第２の部分１３Ｄとの屈曲角度は上記実施形態と同じである。このため、上記実施形態と同様に、歩行時に足を後方に蹴り出すとき、第２の部分１３が、足裏のＶ字屈曲形状に沿って密着する。このタイプのサンダル１０Ｄを履いて歩行するとき、脱げ落ちやすく、ヒール部１７が路面を打つことにより大きな音がするが、ソール１１が足裏面に密着することにより、脱げ落ちにくく、ヒール部１７によって生じる大きな音を抑制できる。
【００４６】
・上記実施形態及び変形例では、本発明の履き物を、サンダル及びスリッパに具体化したが、その他の踵保持部が無い履き物に具体化してもよい。
【符号の説明】
【００４７】
１０，１０Ａ〜１０Ｂ，１０Ｄ…履き物としてのサンダル、１０Ｃ…履き物としてのスリッパ、１１，１１Ａ〜１１Ｅ…ソール、１２，１２Ａ〜１２Ｅ…第１の部分、１３，１３Ａ〜１３Ｅ…第２の部分、１３ａ…溝、１４，１４Ａ，１４Ｂ…つま先部としてのストラップ、１５…弾性体、１６，１８…つま先部としてのアッパー、１７…ヒール部、５０Ａ…拇趾球位置、５０Ｂ…小趾球位置、５０Ｃ…領域、θ１…屈曲角度。
【図１】
2014018559.tif 000003
【図２】
2014018559.tif 000004
【図３】
2014018559.tif 000005
【図４】
2014018559.tif 000006
【図５】
2014018559.tif 000007
【図６】
2014018559.tif 000008
【図７】
2014018559.tif 000009
【図８】
2014018559.tif 000010